(57)【要約】【課題】  料理を入れた容器を載せて持ち運ぶことが出来る樹脂製のお盆であって、ラーメンなどが入った重いドンブリ容器であっても安定して運ぶことが出来る樹脂製のお盆の提供。【解決手段】  お盆の形状を概略ドンブリ形とし、必要に応じて側部２に２個の貫通穴１０，１０を設けたり、側部外側面１２にクビレ部１３を形成している。【選択図】    図３
0003114163.tif 000002
【実用新案登録請求の範囲】
【請求項１】
料理を入れた容器を載せて持ち運ぶことが出来る樹脂製のお盆において、その形状を概略ドンブリ形としたことを特徴とするドンブリ形お盆。
【請求項２】
料理を入れた容器を載せて持ち運ぶことが出来る樹脂製のお盆において、その形状を概略ドンブリ形とし、底部に手が入る貫通穴を形成したことを特徴とするドンブリ形お盆。
【請求項３】
料理を入れた容器を載せて持ち運ぶことが出来る樹脂製のお盆において、その形状を概略ドンブリ形とし、側部の外側面にクビレ部を形成したことを特徴とするドンブリ形お盆。
【請求項４】
ドンブリの底部上面に凹凸を形成した請求項１、請求項２、又は請求項３記載のドンブリ形お盆。
【考案の詳細な説明】
【技術分野】
【０００１】
本考案は樹脂製のお盆であって、その形状をドンブリ形としたお盆に関するものである。
【背景技術】
【０００２】
容器に入れた料理を運ぶ場合に、お盆が使用されるのが常である。該お盆は一般的に平坦な底を有し、周りには縁を沿設している。底板の形状は長方形であったり、正方形であったり、時には円形の場合もある。そして、大きなお盆であれば両側に持ち手部が設けられているが、容器を載せて運び易いように色々な工夫がなされている。
【０００３】
実開平４−１６９７１号に係る「指止め付お盆」は、お盆を持った際に指が内側へ入らないように構成したものであり、凹設された載置部の四周壁の上部両側にほぼ水平なリブ状の把持部を膨出し、この把持部の中央部近傍の四周壁の上端又は把持部の上面における載置部側に指止め部を立設している。従って、把持部を握ってお盆を持つ場合に、指が載置部内へ入って器を転倒させるようなことが無くなる。
【０００４】
実用新案登録第３０３７３６３号に係る「マグネット式お盆」は、お盆の裏面にマグネットを取付けたものであり、使用しない場合には冷蔵庫の側面やドアの表面、さらにはホウロウ式ダイニングキッチンの側面に磁着することが出来る。従って、片付けに際して場所を取らず、便利である。
【０００５】
特開２００２−８５２３７号に係る「お盆」は、力のない子供や老人であっても、比較的楽に、しかも安定して持つことが出来るように構成している。すなわち、お盆の外側には滑らかな凹部と凸部が交互に形成され、そして、持ち手側では凸部先端から凹部底までの距離が約３０ｍｍとして、この凹部に手が嵌る大きさと成っている。
【０００６】
これら従来技術からも明らかなように、お盆は平坦な底板（載置部）を有している為に、両持ち手側の高さが変わって傾斜するならば底板に載せている容器は横滑りする。そして、時には周囲に沿設している縁を越えてお盆から落下してしまう。特に、ラーメンやうどんなどのように、重いドンブリ容器を大きなお盆に載せて運ぶ際に発生する。
【特許文献１】実開平４−１６９７１号に係る「指止め付お盆」
【特許文献２】実用新案登録第３０３７３６３号に係る「マグネット式お盆」
【特許文献３】特開２００２−８５２３７号に係る「お盆」
【考案の開示】
【考案が解決しようとする課題】
【０００７】
このように、従来のお盆には上記のごとき問題がある。本考案が解決しようとする課題はこれら問題点であり、ラーメンなどが入った重いドンブリ容器であっても安定して運ぶことが出来る樹脂製のドンブリ形お盆を提供する。
【課題を解決するための手段】
【０００８】
本考案に係るお盆はドンブリ形であり、樹脂を材質とした成形品で構成している。外径や深さは限定しないが、肉厚は一般のドンブリ容器に比較して厚く成っている。すなわち、肉厚を大きくすることで重く成り、容器を入れて運ぶ際に安定することになる。また、底面は平坦面ではなく凹凸面と成っている。ただし、凹凸面の具体的な形状は限定しない。
【考案の効果】
【０００９】
本考案に係るお盆はドンブリ形であり、このドンブリ形お盆にドンブリ容器を入れて運ぶことが出来る。ドンブリ形お盆は持ち易くて、収容したドンブリ容器が横ズレすることはなく、勿論、転倒してお盆から落下することはない。そして、仮に傾いてドンブリ容器の食べ物が外にこぼれても、ドンブリ形お盆からこぼれ落ちることはない。
【実施例】
【００１０】
図１は本考案に係るドンブリ形お盆を表している実施例である。その形状は一般的なドンブリ形状に類似し、概略半球状を成し、底部１と側部２を有している。底部１の底面３の外周には脚４がリング状を成して形成され、テーブル上においた際に底面３が直接当らないようにしている。そして、底部１の上面５は平坦面ではなく、複数の滑らかな凸部６，６・・が互いに平行をなして配列している。
【００１１】
一方の側部２は底部外周から斜め上方へ湾曲して立ち上がり、上方は大きな開口空間を有している。このドンブリ形お盆は樹脂を材質とした射出成形品であり、底部１及び側部２の厚さＴは一般の陶器製ドンブリ容器に比較して大きく成っている。その為に、樹脂製ではあるがある程度重くて、この中にドンブリ容器を入れた場合に安定性が失われることはない。
【００１２】
図２は本考案のドンブリ形お盆にドンブリ容器７を収容した場合を表している。該ドンブリ容器７はドンブリ形お盆の収容空間８に収容されて、底部１に載置される。ドンブリ容器７の高さは側部２より高く成っている為に、収容空間８に手を入れて該ドンブリ容器７の出し入れは自在である。そして、底部１の上面５は滑らかに湾曲した凸部６，６・・が配列形成されている為に、ドンブリ容器７の底に設けている脚９が上面５に密着することはない。すなわち、ドンブリ容器の底が水分にて密着し、ドンブリ形お盆から取り出しにくくなることはない。
【００１３】
また、ドンブリ形お盆に収容されているドンブリ容器７は、底部１の上面５に載置されるが、底部外周には斜め上方へ湾曲して立ち上がる側部２が連続して設けられているために、載置される位置はほぼ拘束される。従って、ドンブリ形お盆が傾いても大きく横滑りすることは出来ない。
【００１４】
前記図１に示すドンブリ形お盆は、その形状が大きなドンブリであり、該ドンブリに小さなドンブリ容器７を収容して持ち運ぶことが出来る。持ち運ぶ際には、両手でドンブリ容器の側部２を抱きかかえるように持つことが出来る。そして、両手に抱えて胸元にて支えて運ぶことが出来ることで、安定する。
【００１５】
図３は本考案に係るドンブリ形お盆を表す他の実施例であり、（ａ）は正面図、（ｂ）はＡ−Ａ断面図を示している。該ドンブリ形お盆は、その側部２に２個の穴１０，１０を貫通して設けている。両穴１０，１０は対向した位置に設けられ、ドンブリ形お盆を持つ場合に、両穴１０，１０に手を入れて握ることが出来る。すなわち、穴１０，１０を設けることで、穴上部の側部２は把持部１１，１１と成り、該把持部１１，１１を握って持ち上げることが出来る。
【００１６】
図４は本考案に係るドンブリ形お盆を表す別の実施例であり、（ａ）は正面図、（ｂ）はＢ−Ｂ断面図を示している。該ドンブリ形お盆は、その側部２の外側面１２にクビレ部１３を形成している。クビレ部１３は外側面１２の全周に形成され、該ドンブリ形お盆を手で抱きかかえる際には、クビレ部１３に係止して滑らないようになる。
【図面の簡単な説明】
【００１７】
【図１】本考案に係るドンブリ形お盆を示す実施例。
【図２】ドンブリ形お盆にドンブリ容器を収容した場合。
【図３】本考案に係るドンブリ形お盆を示す実施例。
【図４】本考案に係るドンブリ形お盆を示す実施例。
【符号の説明】
【００１８】
１  底部
２  側部
３  底面
４  脚
５  上面
６  凸部
７  ドンブリ容器
８  収容空間
９  脚
10  穴
11  把持部
12  外側面
13  クビレ部
【図１】
0003114163.tif 000003
【図２】
0003114163.tif 000004
【図３】
0003114163.tif 000005
【図４】
0003114163.tif 000006